(57)【要約】  【課題】  ＩＣタグやＲＦＩＤタグなどの情報記録媒体に記録されたデータが、破損、改ざん、偽造により改変されていないか否かの確認を、ホストコンピュータに問い合わせることなく行えるようにした情報記録媒体、および情報記録媒体の情報改変判定方法を提供する。  【解決手段】  二次元コード付きＲＦＩＤラベル１の表面２には、ＩＤ項目３、ＩＤ内容４、二次元コード５が表示され、ＲＦＩＤタグ６がその内部に組み込まれている。二次元コード５は、データが改変されたか否かの改変判定に用いられる判定項目７のＩＤ内容４をもとにして、所定の計算方法で算出されたコード情報から定められる。判定時点に、ＲＦＩＤタグ６のメモリ内のデータを用いて所定の計算方法で新たに算出されるコード情報と、二次元コード５から読み取られるコード情報とを比較照合し、情報の改変が行われたか否かの判定を行うようにした。【選択図】  図１
2005338908.tif 000002
【特許請求の範囲】
【請求項１】
各種データのコード情報がメモリ内に記録されたＩＣタグやＲＦＩＤタグを備える情報記録媒体であって、
前記コード情報の一部または全てからなる第１のコード情報を用いて所定の計算方法によって算出される第２のコード情報が設けられていることを特徴とする、情報記録媒体。
【請求項２】
前記第２のコード情報は、二次元コードやバーコードなどの可視情報として媒体表面に表示されていることを特徴とする、請求項１に記載の情報記録媒体。
【請求項３】
前記第２のコード情報は、前記ＩＣタグやＲＦＩＤタグのメモリ内に記録されていることを特徴とする、請求項１に記載の情報記録媒体。
【請求項４】
各種データのコード情報がメモリ内に記録されたＩＣタグやＲＦＩＤタグを備える情報記録媒体の前記データが改変されたか否かの判定を行う情報記録媒体の情報改変判定方法であって、
前記情報記録媒体は、記録時に、前記データの一部または全てからなる第１のコード情報を用いて所定の計算方法によって算出される第２のコード情報が設けられ、
判定時に、記録時に設けられた前記第２のコード情報と、前記第１のコード情報を用いて前記所定の計算方法によって新たに算出された第３のコード情報と、を比較照合することにより、前記情報記録媒体に記録されたデータが改変されたか否かの判定を行うことを特徴とする、情報記録媒体の情報改変判定方法。
【発明の詳細な説明】
【技術分野】
【０００１】
本発明は、ＩＣカードあるいはＲＦＩＤタグなどの情報記録媒体に関し、特にデータが改変されたか否かの判定が容易に行える情報記録媒体および情報記録媒体の情報改変判定方法に関する。
【背景技術】
【０００２】
物や人の動きを情報の流れとしてとらえ、これらの動きから情報を引き出すための情報化技術の一つとして、バーコードや二次元コードを利用したシステムが広く浸透している。また、最近では、システムＬＳＩの急速な発展により、ＩＣタグや電波を利用して情報を送受信するＲＦＩＤ（Ｒａｄｉｏ  Ｆｒｅｑｕｅｎｃｙ  Ｉｄｅｎｔｉｆｉｃａｔｉｏｎ）タグ（電子タグ）が新たな技術として注目を集めている。中でもＲＦＩＤタグは、複数のタグの情報を非接触でまとめて読み書き出来るというバーコードや二次元コードにない特長を有しており、これらの特長を生かした物流管理、食品の成分管理、生産情報管理、医療過誤防止などの、幅広い用途への展開が考えられている。
【０００３】
しかしながら、これらが普及するには解決しなければならない技術的な課題も残されている。例えば、ＲＦＩＤタグは、タグとリーダとの間に介在する障害物の材質などにより、タグに記録された情報の読み取り率が極端に低下する場合がある。また、ＲＦＩＤタグをシート状に形成した場合、シートの湾曲や折れ曲がりなどによってタグが破損し、読み取りが不可能となる場合がある。したがって、ＲＦＩＤタグの使用に当たっては、これら様々な要因によって発生する情報内容の消失や誤読への対処が問題となる。また、ＲＦＩＤタグやＩＣタグを用いた個人情報の管理システムが普及すれば、タグの偽造や個人情報の改ざんによって生ずる社会的影響は計り知れないものがあり、ＲＦＩＤタグやＩＣタグに記録されたデータの信頼性向上や偽造対策が従来にも増して重要となっている。
【０００４】
そこで、ＲＦＩＤタグに固有で書き換え不可の固有ＩＤとして、そのタグ製造時に付加された書き換え不能な製造時ＩＤを利用し、この製造時ＩＤと、該タグ内に記録されている購入場所、購入時間、金額、券種などの各種データとを関係付けて登録する。これにより、該タグ内のデータを改ざんした場合には、製造時ＩＤと何ら関係付けられていないデータを有するものとなり、このような製造時ＩＤとデータの不一致から、データ改ざんなどの偽造行為を発見できるようになっている情報記録媒体に関する発明が開示されている。
【特許文献１】特開２０００−２２２５５１号公報
【発明の開示】
【発明が解決しようとする課題】
【０００５】
しかしながら、上記発明においては、ＲＦＩＤの各種データや固有ＩＤの登録先がいずれもシステムを管理するホストコンピュータとなっており、タグのデータが改ざんされたか否かの判断は、当該タグからこれらのデータと固有ＩＤの情報を取得してホストコンピュータに問い合わせることによって可能となっている。このように、データの読み取り処理を行う毎にホストコンピュータに問い合わせてデータ改ざんの判断を行うのでは、処理時間がかかって即応性に欠くという問題があった。また、問い合わせの数が多くなれば、ホストコンピュータに負荷がかかり、処理能力が低下するという問題があった。
【０００６】
そこで、上記の問題点に鑑み、本発明は、ＲＦＩＤタグなどの情報記録媒体に記録されたデータが、破損、改ざん、偽造などにより改変されていないか否かの確認を、ホストコンピュータに問い合わせることなく行えるようにした情報記録媒体、および情報記録媒体の情報改変判定方法の提供を目的とする。
【課題を解決するための手段】
【０００７】
上記課題を解決するために、本発明の情報記録媒体は、各種データのコード情報がメモリ内に記録されたＩＣタグやＲＦＩＤタグを備える情報記録媒体であって、前記コード情報の一部または全てからなる第１のコード情報を用いて所定の計算方法によって算出される第２のコード情報が設けられていることを特徴とする。
【０００８】
前記第２のコード情報は、二次元コードやバーコードなどの可視情報として媒体表面に表示することができる。
【０００９】
前記第２のコード情報は、前記ＩＣタグやＲＦＩＤタグのメモリ内に記録することができる。
【００１０】
また、本発明の情報記録媒体の情報改変判定方法は、各種データのコード情報がメモリ内に記録されたＩＣタグやＲＦＩＤタグを備える情報記録媒体の前記データが改変されたか否かの判定を行う情報記録媒体の情報改変判定方法であって、前記情報記録媒体は、記録時に、前記データの一部または全てからなる第１のコード情報を用いて所定の計算方法によって算出される第２のコード情報が設けられ、判定時に、記録時に設けられた前記第２のコード情報と、前記第１のコード情報を用いて前記所定の計算方法によって新たに算出された第３のコード情報と、を比較照合することにより、前記情報記録媒体に記録されたデータが改変されたか否かの判定を行うことを特徴とする。
【発明の効果】
【００１１】
以上のごとく、本発明によれば、メモリ内のデータに関するコード情報の一部または全てからなる第１のコード情報を用いて所定の計算方法によって算出される第２のコード情報を有しているので、データが改変されたか否かの判定時に、メモリ内のデータに関するコード情報の一部または全てからなる第１のコード情報を用いて所定の計算方法によって新たに算出される第３のコード情報と、記録時から備わっている第２のコード情報とを比較照合することにより、サーバーに問い合わせることなくメモリ内のデータが書き換えられたか否かの判定が行える。また、第２のコード情報は、メモリ内に記録されている第１のコード情報を用いて所定の計算方法によって算出され、その計算方法を知らずに第２のコード情報の偽造や改変を行うことはできないので、第２のコード情報の偽造や改変が行われても容易に判定可能である。また、第２のコード情報は、メモリ内に記録されている第１のコード情報を用いて所定の計算方法によって算出されるので、第２のコード情報を参考にしてメモリ内のデータを復元、改変、偽造することもできない。
【発明を実施するための最良の形態】
【００１２】
以下、本発明を実施するための最良の形態について、図面を参照しながら詳しく説明する。なお、同一の構成要素には同一の参照番号を付して、説明を省略する。
図１は、本発明の第１の実施形態に係る二次元コード付きＲＦＩＤラベルの平面図であり、図２は、台紙付きの二次元コード付きＲＦＩＤラベルの断面図、図３は、会員カードへの適用例を示す斜視図である。
【００１３】
図１に示すように、二次元コード付きＲＦＩＤラベル１（以下、ＩＤラベルと称す）は、ラベル表面２に会員のＩＤ項目３、ＩＤ内容４、二次元コード５が表示され、ＲＦＩＤタグ６がその内部に組み込まれている。ＩＤ項目３には、会員名、所在地、有効期限、発行日、発行場所の各項目が表示されており、ＩＤ内容４は、個々の会員に対応するＩＤ項目３の具体的な情報を表示したものである。これらのＩＤ項目３の中で、会員名、所在地、有効期限、発行日は、データが改変されたか否かの改変判定を行うのに用いられる判定項目７であり、発行場所は、データの改変判定に用いない非判定項目８である。二次元コード５は、判定項目７のＩＤ内容４をもとにして、後述の計算方法で算出されるコード情報（第２のコード情報）によって定められたものである。このように、ＩＤ項目３を判定項目７と非判定項目８に区分するのは、計算に用いないＩＤ項目を設けることによって二次元コード５の計算根拠の推定をより困難にするためである。この判定項目と非判定項目は必要に応じて適宜入れ替えてもよく、また非判定項目を設けないようにすることもできる。
【００１４】
ＲＦＩＤタグ６のメモリ内には、これらのＩＤ項目３、ＩＤ内容４などを示す後述の（図８参照）ＲＦＩＤコード情報９１（第１のコード情報）などのデータが含まれている。ラベル表面２へのＩＤ項目３、ＩＤ内容４、二次元コード５の表示およびＲＦＩＤタグ６のメモリ内へのデータの記録は、ＲＦＩＤリーダライタつき熱転写バーコードプリンタ(図示せず)を用いて、ラベル表面２に熱転写印字されるとともにＲＦＩＤタグ６のメモリ内にデータ入力されたものである。
【００１５】
図２は、図１に示したＩＤラベル１のＡ−Ａ断面図である。ＩＤラベル１は、表面にＩＤ項目３、ＩＤ内容４、二次元コード５などの印字１１が行われた印字用紙１２の裏面に粘着剤１３が塗布され、その粘着剤１３の裏面（印字用紙１２と反対側）にはＲＦＩＤタグ６が着設された構成となっており、このＩＤラベル１は、さらに粘着剤１３を介して剥離台紙１４に仮着されている。ここで、ＩＤラベル１は、剥離台紙１４の不要な台紙なしラベルとすることもできる。また、印字用紙１２には粘着ラベルとして一般的に使われる材質のものが使用可能であり、例えば用途に応じて上質紙、コート紙などの紙やＰＥＴ（ポリエチレンテレフタレート）、ＰＰ（ポリプロピレン）、ＰＥ（ポリエチレン）などの樹脂フィルムなどを適宜選択することができる。
【００１６】
このようなＩＤラベル１は、剥離台紙１４を剥がした後、表面に会の名称や図柄などの印刷２２を行った図３に示す会員カード２１のカード台紙２３に貼付して使用される。
【００１７】
図４は、本実施形態のＩＤラベル１を使用した会員カード２１の情報改変判定システム（以下判定システムと称す）に関する全体構成を示すブロック図である。図５は、ＩＤラベル１を使用した会員カード２１の判定システムに関する管理サーバー３１の構成を示すブロック図である。図６は、ＩＤラベル１を使用した会員カード２１の判定システムに関する端末装置３２の構成を示すブロック図である。
【００１８】
まず、会員の入会時には管理サーバー３１に会員情報が登録され、この登録された会員情報（図５の情報管理ファイル４９）にもとづいて、ＲＦＩＤリーダライタつき熱転写バーコードプリンタ(図示せず)で、ラベル表面２にＩＤ項目３、ＩＤ内容４、二次元コード５などが熱転写印字されるとともに、ＲＦＩＤタグ６内にデータが記録されたＩＤラベル１が発行される。これをカード台紙２３に貼付して会員カード２１を作成し、会員に配布する。このとき、情報管理ファイル４９などの会員の登録情報が各端末装置３２に送信され、端末装置３２の記憶装置７０に情報管理ファイル６９（図６参照）として記憶される。
【００１９】
会員がサービスを受ける際には、サービスを受けようとする施設や店舗で会員証を提示し、提示を受けた当該施設や店舗の担当者は、施設や店舗に設置された端末装置３２においてＲＦＩＤタグ６に記録された判定項目７に対応するＩＤ内容４を読み取り、後述する計算方法によって算出されたコード情報と二次元コード５のコード情報とが比較照合され、会員カード２１のＩＤ内容４が不正に書き換えられていないか否か（正規の会員カード２１か否か）の判定が行われる。なお、管理サーバー３１と端末装置３２とは、インターネットやＬＡＮ（Ｌｏｃａｌ  Ａｒｅａ  Ｎｅｔｗｏｒｋ）などのネットワーク３３で接続されている。
【００２０】
管理サーバー３１は、図５に示すように、制御プログラムを記憶するＲＯＭ（Ｒｅａｄ  Ｏｎｌｙ  Ｍｅｍｏｒｙ）４１と、ＲＯＭ４１に記憶されている制御プログラムにしたがって動作し、各部を制御するＣＰＵ（Ｃｅｎｔｒａｌ  Ｐｒｏｃｅｓｓｉｎｇ  Ｕｎｉｔ）４２と、ＣＰＵ４２が動作する上で必要となる各種データを記憶するＲＡＭ（Ｒａｎｄｏｍ  Ａｃｃｅｓｓ  Ｍｅｍｏｒｙ）４３と、各種情報を表示する表示部４４と、各種データやコマンドを入力するための入力部４５と、二次元コード５を読み書きするための二次元コード読み書き装置４６と、ＲＦＩＤタグ６のメモリ内のデータを読み書きするためのＲＦＩＤ読み書き装置４７と、端末装置３２との間で通信を行うための通信部４８と、情報管理ファイル４９などの各種情報を記憶した記憶装置５０とが、データバス５１を介して接続されている。
【００２１】
端末装置３２は、図６に示すように、制御プログラムを記憶するＲＯＭ６１と、ＲＯＭ６１に記憶されている制御プログラムにしたがって動作し、各部を制御するＣＰＵ６２と、ＣＰＵ６２が動作する上で必要となる各種データを記憶するＲＡＭ６３と、各種情報を表示する表示部６４と、各種データやコマンドを入力するための入力部６５と、二次元コード５を読み取るための二次元コード読み取り装置６６と、ＲＦＩＤタグ６のメモリ内のデータを読み書きするためのＲＦＩＤ読み書き装置６７と、管理サーバー３１や他の端末装置３２との間で通信を行うための通信部６８と、情報管理ファイル６９などの各種情報を記憶した記憶装置７０と、改変判定にもとづいて作動するアラーム７１とが、データバス７２を介して接続されている。
【００２２】
図７は、記憶装置５０、７０に記憶された情報管理ファイル４９、６９の内容を示す図である。同図に示すように、情報記録ファイル４９、６９には、ＩＤ項目３欄、ＩＤ内容４欄、判定８１欄などが各列に割り当てられて設けられている。ＩＤ項目３欄には、会員名、所在地、有効期限、発行日、発行場所などが入力され、ＩＤ内容４欄には、例えば会員名に対しては「(株)サトー」のごとく、各々のＩＤ項目３に対応する具体的な内容が入力されている。また、判定８１欄には、「１」または「０」が入力されている。「１」が入力されたＩＤ項目３は判定項目７であることを意味し、ＩＤ内容４にもとづいて所定の計算方法によって求められるコード情報（第３のコード情報）と、ＩＤラベル１にあらかじめ表示されている二次元コードから読み取られる二次元コード５のコード情報（第２のコード情報）とを比較照合することにより、ＩＤ内容４が書き換えられたか否かの判定を行うのに使われる。また、判定８１欄に「０」が入力されたＩＤ項目３は非判定項目８であり、この判定には使われない。
【００２３】
次に、管理サーバー３１において、ＩＤ内容４のコード情報から二次元コード５のコード情報を計算し、ＩＤラベル１を発行する方法について、図８および図９を参照しながら説明する。図８は判定項目７のＩＤ内容４をシフトＪＩＳによってコード表現したＲＦＩＤコード情報９１（第１のコード情報）と、二次元コード５のコード情報である二次元コード情報９２（第２のコード情報）との関係を表す図、図９はＩＤラベル１発行処理フロー図である。
【００２４】
図８において、ＩＤ項目３とＩＤ内容４は、情報管理ファイル４９、６９から書き換え判定を行うＩＤ項目３(判定８１欄が１のもの)とＩＤ内容４とを抜き出したものである。また、ＲＦＩＤコード情報９１は、各ＩＤ項目３のＩＤ内容４をシフトＪＩＳで表現して得られるコード情報を順に配列したものであり、コード加算値９３は、各ＩＤ項目３に対するＲＦＩＤコード情報９１の値を１バイト単位で加算した値であり、二次元コード情報９２は、このようにして得られたコード加算値９３の下二桁をＩＤ項目３の順に抽出して配列したものである。
【００２５】
次に、図９のＩＤラベル１発行処理フロー図にもとづいて、図８に示すコード加算値９３および二次元コード情報９２（第２のコード情報）の計算方法を具体的に説明する。まず、ステップＳ１で、管理サーバー３１に記録されている情報管理ファイル４９の最初のＩＤ項目３を読み取る。ステップＳ２で、当該ＩＤ項目３が非判定項目８（判定「０」）か判定項目７（判定「１」）かを判定８１欄で確認する。判定「０」の場合は、そのＩＤ項目３を非判定項目８と判断し、ステップＳ１に戻って情報管理ファイル４９の次のＩＤ項目３を読み取る。一方、判定「１」の場合は、そのＩＤ項目３は判定項目７と判断し、次のステップＳ３に移る。
【００２６】
ステップＳ３において、当該ＩＤ項目３のＩＤ内容４にもとづくＲＦＩＤコード情報９１を読み取り、ステップＳ４において、ステップＳ３で読み取ったＲＦＩＤコード情報９１を１バイト単位に分解して足し合わせ、コード加算値９３を得る。すなわち、ＩＤ内容４が「（株）サトー」の場合、ＲＦＩＤコード情報９１は「８１  ６９  ８Ａ  ９４  ８１  ６Ａ  ８３  ５４  ８３  ６７  ８１  ５Ｂ」となる。これらの数字は１６ビットで表されているので、コード加算値９３は、「８１＋６９＋９４＋８１＋６Ａ＋８３＋５４＋８３＋６７＋８１＋５Ｂ＝０５９０」と計算される。これを各ＩＤ項目３に対して繰り返し行い、ステップＳ５において、全ての判定項目７のＩＤ項目３が計算されたと判断した後、ステップＳ６において、ステップＳ４で求められたコード加算値９３の下二桁の値を順に足し合わせる。このようにして得られる「９０  ７Ｅ  ＥＦ  Ｆ４」が二次元コード情報９２（第２のコード情報）である。
【００２７】
ステップＳ７において、このＩＤ項目３、ＩＤ内容４、二次元コード情報９２の内容を、ＲＦＩＤリーダライタつき熱転写バーコードプリンタ（二次元コード読み書き装置４６、ＲＦＩＤ読み書き装置４７)により熱転写印字およびデータ入力してＩＤラベル１を発行し、これをカード台紙２３に貼り付けて会員カード２１とする。
【００２８】
次に、各施設や店舗の端末装置３２において、会員カード２１のＲＦＩＤタグ６に記録されている判定項目７を読み取って、上記ラベル発行処理において説明した計算方法で新たに求められる二次元コード情報９２（第３のコード情報）と、会員カードに印字されている二次元コード５から二次元コード読み取り装置６６によって読み取られる二次元コード情報９２（第２のコード情報）とを比較照合し、会員カード２１のＩＤ内容３が改変されたか否か（正規の会員カード２１か否か）の判定を行う改変判定方法について、図１０を参照しながら説明する。
【００２９】
図１０は、ＩＤラベル１のＩＤ内容４改変判定処理フロー図である。まず、ステップＳ１１で、会員カード２１に貼付されたＩＤラベル１に記録されている最初のＩＤ項目３を、端末装置３２のＲＦＩＤ読み書き装置６７で読み取る。ステップＳ１２で、当該ＩＤ項目３が非判定項目８（判定「０」）であるか判定項目７（判定「１」）であるかを端末装置３２に記録された情報管理ファイル６９で確認する。判定「０」の場合は、そのＩＤ項目３は非判定項目８と判断し、ステップＳ１１に戻って情報管理ファイル６９の次のＩＤ項目３を読み取る。一方、判定「１」の場合は、そのＩＤ項目３は判定項目７と判断し、次のステップＳ１３に移る。
【００３０】
ステップＳ１３において、ＩＤラベル１の当該ＩＤ項目３のＩＤ内容４を表すＲＦＩＤコード情報９１を読み取り、ステップＳ１４において、Ｓ１３で読み取ったＲＦＩＤコード情報９１を１バイト単位に分解して足し合わせる。これをＩＤラベル１から読み取った各ＩＤ項目３に対して繰り返し行い、ステップＳ１５において、全ての判定項目７のＩＤ項目３が計算されたと判断した後、ステップＳ１６において、コード加算値９３の下二桁の値を順に足し合わせ、判定用に新たに計算された二次元コード情報９２（第３のコード情報）を得る。
【００３１】
次に、ステップＳ１７において、ステップＳ１６で得られた二次元コード情報９２（第３のコード情報）と、端末装置３２の二次元コード読み取り装置６６によって会員カード２１に表示された二次元コード５から読み取られる二次元コード情報９２（第２のコード情報）との比較照合を行い、ステップＳ１８において両者が同じ値であると判定されれば、ＩＤ内容４の改変判定処理を終了する。一方、ステップＳ１６で得られた二次元コード情報９２（第３のコード情報）と、二次元コード５から読み取られる二次元コード情報９２（第３のコード情報）とが異なる場合は、光の点滅やブザー音、文字表示などによるアラーム７１を発し、再度ステップＳ１１に戻ってステップＳ１１以下の処理を繰り返すようにする。
【００３２】
なお、本発明は本実施の形態に限定されず、本発明の技術思想の範囲内において適宜変更可能であることはいうまでもない。
すなわち、本実施の形態においては、ＲＦＩＤコード情報を１バイト単位に分解して足し合わせてコード加算値を得るようにしたが、２バイト単位で足し合わせることも可能であり、また、ＲＦＩＤコード情報を足し合わせるだけでなく、積、商、対数など、所望の演算方法を組み合わせて行うこともできる。
また、本実施の形態においては、二次元コード付きＲＦＩＤラベルの発行を管理サーバーで行ったが、各施設や店舗に設置されている端末装置で発行するようにしてもよい。その場合には、図６に示した端末装置を構成する二次元コード読み取り装置を二次元コード読み書き装置に変更するとともに、各端末装置で発行された会員カードの情報は、通信部によって管理サーバーに送信し、管理サーバーで一元管理することができる。
また、本実施の形態においては、ＩＤ項目に非判定項目を設けたが、これに限定されず、全てを判定項目として判定を行うようにしても良い。
【産業上の利用可能性】
【００３３】
本発明は、ＲＦＩＤタグやＩＣタグの偽造やデータの改変防止に利用可能である。
【図面の簡単な説明】
【００３４】
【図１】本発明の二次元コード付きＲＦＩＤラベルの平面図である。
【図２】台紙付きの二次元コード付きＲＦＩＤラベルの断面図である。
【図３】会員カードへの適用例を示す斜視図である。
【図４】本実施形態のＩＤラベルを使用した会員カードの情報改変判定システム（以下判定システムと称す）に関する全体構成を示すブロック図である。
【図５】ＩＤラベルを使用した会員カードの判定システムに関するサーバーの構成を示すブロック図である。
【図６】ＩＤラベルを使用した会員カードの判定システムに関する端末装置の構成を示すブロック図である。
【図７】記憶装置に記憶された情報管理ファイルの内容を示す図である。
【図８】判定項目のＩＤ内容をシフトＪＩＳによってコード表現したＲＦＩＤコード情報と、二次元コードのコード情報を表す二次元コード情報の関係を表す図である。
【図９】二次元コード付きＲＦＩＤラベル発行処理フロー図である。
【図１０】二次元コード付きＲＦＩＤラベルのＩＤ内容判定処理フロー図である。
【符号の説明】
【００３５】
１  二次元コード付きＲＦＩＤラベル（ＩＤラベル）
２  ラベル表面
３  ＩＤ項目
４  ＩＤ内容
５  二次元コード
６  ＲＦＩＤタグ
７  判定項目
８  非判定項目
１１  印字
１２  印字用紙
１３  粘着剤
１４  剥離台紙
２１  会員カード
２２  印刷
２３  カード台紙
３１  管理サーバー
３２  端末装置
３３  ネットワーク
４１、６１  ＲＯＭ
４２、６２  ＣＰＵ
４３、６３  ＲＡＭ
４４、６４  表示部
４５、６５  入力部
４６  二次元コード読み書き装置
４７、６７  ＲＦＩＤ読み書き装置
４８、６８  通信部
４９、６９  情報管理ファイル
５０、７０  記憶装置
５１、７２  データバス
６６  二次元コード読み取り装置
７１  アラーム
８１  判定
９１  ＲＦＩＤコード情報
９２  二次元コード情報
９３  コード加算値
【図１】
2005338908.tif 000003
【図２】
2005338908.tif 000004
【図３】
2005338908.tif 000005
【図４】
2005338908.tif 000006
【図５】
2005338908.tif 000007
【図６】
2005338908.tif 000008
【図７】
2005338908.tif 000009
【図８】
2005338908.tif 000010
【図９】
2005338908.tif 000011
【図１０】
2005338908.tif 000012